(57)【要約】【課題】  使用者の視力を測定し、前記測定された視力に合わせて文字サイズを調節することにより、使用者の利便性を向上させる本発明に係る移動通信端末機の文字サイズ調節装置及び方法を提供する。【解決手段】  移動通信端末機の文字サイズ調節装置は、使用者の文字サイズ調節要求に応じて表示された映像データに対する使用者の音声データを検出する音声認識部と、前記検出された使用者の音声データ及び予め設定された参照テーブルに基づいて使用者の視力を判断し、前記判断された視力に合わせて文字サイズを調節する制御部とを含む。【選択図】  図１
2006091869.tif 000002
【特許請求の範囲】
【請求項１】
使用者の文字サイズ調節要求に応じて表示された映像データに対する使用者の音声データを検出する音声認識部と、
前記検出された使用者の音声データ及び予め設定された参照テーブルに基づいて使用者の視力を判断し、前記判断された視力に合わせて文字サイズを調節する制御部と
を含むことを特徴とする移動通信端末機の文字サイズ調節装置。
【請求項２】
前記予め設定された参照テーブルを保存するメモリ部をさらに含むことを特徴とする請求項１に記載の移動通信端末機の文字サイズ調節装置。
【請求項３】
前記予め設定された参照テーブルは、
視力値、該視力値に対応する文字サイズ値、該文字サイズ値によって予め設定された映像データ、該映像データに対応する音声データを含むことを特徴とする請求項２に記載の移動通信端末機の文字サイズ調節装置。
【請求項４】
前記予め設定された映像データは、
同一の視力値に対して少なくとも１つ以上であることを特徴とする請求項３に記載の移動通信端末機の文字サイズ調節装置。
【請求項５】
前記音声認識部は、
予め設定された時間以内に使用者の音声データを検出することを特徴とする請求項１に記載の移動通信端末機の文字サイズ調節装置。
【請求項６】
前記制御部は、
前記検出された使用者の音声データと前記表示された映像データに対応する音声データとを比較することを特徴とする請求項１に記載の移動通信端末機の文字サイズ調節装置。
【請求項７】
使用者の文字サイズ調節要求に応じて表示された映像データに対する使用者の音声データ及び予め設定された参照テーブルに基づいて使用者の視力を判断する段階と、
前記判断された使用者の視力に合わせて文字サイズを調節する段階と
を含むことを特徴とする移動通信端末機の文字サイズ調節方法。
【請求項８】
前記予め設定された参照テーブルは、
視力値、該視力値に対応する文字サイズ値、該文字サイズ値によって予め設定された映像データ、該映像データに対応する音声データを含むことを特徴とする請求項７に記載の移動通信端末機の文字サイズ調節方法。
【請求項９】
前記予め設定された映像データは、
同一の視力値に対して少なくとも１つ以上であることを特徴とする請求項８に記載の移動通信端末機の文字サイズ調節方法。
【請求項１０】
前記使用者の視力を判断する段階は、
使用者の文字サイズ調節要求に応じて予め設定された視力値に対応する映像データを表示する段階と、
前記表示された映像データに対する使用者の音声データを検出する段階と、
前記検出された使用者の音声データと予め設定された音声データを比較する段階と、
前記検出された使用者の音声データと予め設定された音声データが一致する場合、一致した回数と予め設定された回数とを比較する段階と、
前記一致した回数と前記予め設定された回数が一致する場合、前記検出された音声データに対応する視力値を使用者の視力として決定する段階とを含むことを特徴とする請求項７に記載の移動通信端末機の文字サイズ調節方法。
【請求項１１】
前記検出された使用者の音声データと前記予め設定された音声データが一致しない場合、予め決定された値だけ減少した視力値に対応する映像データを表示することを特徴とする請求項１０に記載の移動通信端末機の文字サイズ調節方法。
【請求項１２】
前記予め設定された回数は、
少なくとも１回以上であることを特徴とする請求項１０に記載の移動通信端末機の文字サイズ調節方法。
【請求項１３】
前記一致した回数と前記予め設定された回数が一致しない場合、同一の視力値に対応する他の映像データを表示することを特徴とする請求項１０に記載の移動通信端末機の文字サイズ調節方法。
【請求項１４】
前記文字サイズを調節する段階は、
前記判断された使用者の視力に合わせて文字サイズを自動で調節するか否かを確認する段階と、
前記文字サイズを自動で調節する場合、前記該当する文字サイズを調節する段階とを含むことを特徴とする請求項７に記載の移動通信端末機の文字サイズ調節方法。
【請求項１５】
前記自動で文字サイズを調節しない場合、使用者が手動で文字サイズを選択することを特徴とする請求項１４に記載の移動通信端末機の文字サイズ調節方法。
【発明の詳細な説明】
【技術分野】
【０００１】
本発明は、移動通信端末機に関し、特に、使用者の利便性を向上させる移動通信端末機の文字サイズ調節装置及び方法に関する。
【背景技術】
【０００２】
一般に、移動通信端末機は、基地局（Base Station）により形成されるサービスエリア内で移動中に、ＭＳＣ（Mobile Switching Center）のスイッチング制御によりいつでもどこでも直ちに無線呼び出し及び無線接続することにより相手と通信できる装置であり、音声通信だけでなく記号、数字、文字などからなるデータの通信及び映像信号が含まれたマルチメディアの通信も可能である。
【０００３】
最近の移動通信端末機は、電話通話機能以外に、カメラ機能、ＭＰ３（MPEG Audio Layer 3）プレーヤー機能、インターネット接続機能、ショートメッセージサービス（Short MessageService: ＳＭＳ）機能などの多様な付加機能を備えるだけでなく、前記移動通信端末機のデザイン及びユーザーインタフェース（User Interface: ＵＩ）も前記付加機能を考慮して設計されている。
【０００４】
例えば、前記移動通信端末機のテキスト方式のメニューシステムは、アイコン及び簡単な動作機能を加えることにより、派手さはないながらもテキスト方式のような退屈さは感じさせないように構成することが一般的である。特に、前記移動通信端末機は、待機モード（Idle Mode）でも待ち受け画面が出力されるため、より派手な感じを与える。
【０００５】
しかしながら、前記移動通信端末機のグラフィックインタフェースは、視覚的な派手さを強調して使用者の視線を集めるためのものであり、お年寄りなどの視力がよくない使用者の実用性が考慮されていない。すなわち、視力のよくない使用者のために文字を多様なサイズに変更することはできない。
【０００６】
従って、従来技術に係る移動通信端末機は、メニュー設定により使用者が直接文字サイズを設定する機能を備えているが、設定可能の文字サイズが単純に大きい文字又は小さい文字に限定されているため、使用者の視力に合わせて適切な文字サイズに調整することは困難であるという問題点があった。
【発明の開示】
【発明が解決しようとする課題】
【０００７】
本発明の目的は、使用者の視力（Eyesight）を測定し、前記測定された視力に合わせて文字サイズを調節することにより、使用者の利便性を向上させる本発明に係る移動通信端末機の文字サイズ調節装置及び方法を提供することにある。
【課題を解決するための手段】
【０００８】
このような目的を達成するために、本発明に係る移動通信端末機の文字サイズ調節装置は、使用者の文字サイズ調節要求に応じて表示された映像（Image）データに対する使用者の音声データを検出する音声認識部と、前記検出された使用者の音声データ及び予め設定された参照テーブル（ReferenceTable）に基づいて使用者の視力を判断し、前記判断された視力に合わせて文字サイズを調節する制御部とを含むことを特徴とする。
【０００９】
また、本発明に係る移動通信端末機の文字サイズ調節方法は、使用者の文字サイズ調節要求に応じて表示された映像データに対する使用者の音声データ及び予め設定された参照テーブルに基づいて使用者の視力を判断する段階と、前記判断された使用者の視力に合わせて文字サイズを調節する段階とを含むことを特徴とする。
【００１０】
上記目的を達成するために、本発明は、例えば、以下の手段を提供する。
（項目１）
使用者の文字サイズ調節要求に応じて表示された映像データに対する使用者の音声データを検出する音声認識部と、
前記検出された使用者の音声データ及び予め設定された参照テーブルに基づいて使用者の視力を判断し、前記判断された視力に合わせて文字サイズを調節する制御部と
を含むことを特徴とする移動通信端末機の文字サイズ調節装置。
（項目２）
前記予め設定された参照テーブルを保存するメモリ部をさらに含むことを特徴とする請求項１に記載の移動通信端末機の文字サイズ調節装置。
（項目３）
前記予め設定された参照テーブルは、
視力値、該視力値に対応する文字サイズ値、該文字サイズ値によって予め設定された映像データ、該映像データに対応する音声データを含むことを特徴とする請求項２に記載の移動通信端末機の文字サイズ調節装置。
（項目４）
前記予め設定された映像データは、
同一の視力値に対して少なくとも１つ以上であることを特徴とする請求項３に記載の移動通信端末機の文字サイズ調節装置。
（項目５）
前記音声認識部は、
予め設定された時間以内に使用者の音声データを検出することを特徴とする請求項１に記載の移動通信端末機の文字サイズ調節装置。
（項目６）
前記制御部は、
前記検出された使用者の音声データと前記表示された映像データに対応する音声データとを比較することを特徴とする請求項１に記載の移動通信端末機の文字サイズ調節装置。
（項目７）
使用者の文字サイズ調節要求に応じて表示された映像データに対する使用者の音声データ及び予め設定された参照テーブルに基づいて使用者の視力を判断する段階と、
前記判断された使用者の視力に合わせて文字サイズを調節する段階と
を含むことを特徴とする移動通信端末機の文字サイズ調節方法。
（項目８）
前記予め設定された参照テーブルは、
視力値、該視力値に対応する文字サイズ値、該文字サイズ値によって予め設定された映像データ、該映像データに対応する音声データを含むことを特徴とする請求項７に記載の移動通信端末機の文字サイズ調節方法。
（項目９）
前記予め設定された映像データは、
同一の視力値に対して少なくとも１つ以上であることを特徴とする請求項８に記載の移動通信端末機の文字サイズ調節方法。
（項目１０）
前記使用者の視力を判断する段階は、
使用者の文字サイズ調節要求に応じて予め設定された視力値に対応する映像データを表示する段階と、
前記表示された映像データに対する使用者の音声データを検出する段階と、
前記検出された使用者の音声データと予め設定された音声データを比較する段階と、
前記検出された使用者の音声データと予め設定された音声データが一致する場合、一致した回数と予め設定された回数とを比較する段階と、
前記一致した回数と前記予め設定された回数が一致する場合、前記検出された音声データに対応する視力値を使用者の視力として決定する段階とを含むことを特徴とする請求項７に記載の移動通信端末機の文字サイズ調節方法。
（項目１１）
前記検出された使用者の音声データと前記予め設定された音声データが一致しない場合、予め決定された値だけ減少した視力値に対応する映像データを表示することを特徴とする請求項１０に記載の移動通信端末機の文字サイズ調節方法。
（項目１２）
前記予め設定された回数は、
少なくとも１回以上であることを特徴とする請求項１０に記載の移動通信端末機の文字サイズ調節方法。
（項目１３）
前記一致した回数と前記予め設定された回数が一致しない場合、同一の視力値に対応する他の映像データを表示することを特徴とする請求項１０に記載の移動通信端末機の文字サイズ調節方法。
（項目１４）
前記文字サイズを調節する段階は、
前記判断された使用者の視力に合わせて文字サイズを自動で調節するか否かを確認する段階と、
前記文字サイズを自動で調節する場合、前記該当する文字サイズを調節する段階とを含むことを特徴とする請求項７に記載の移動通信端末機の文字サイズ調節方法。
（項目１５）
前記自動で文字サイズを調節しない場合、使用者が手動で文字サイズを選択することを特徴とする請求項１４に記載の移動通信端末機の文字サイズ調節方法。
【発明の効果】
【００１１】
本発明に係る移動通信端末機の文字サイズ調節装置及び方法は、使用者の視力を測定し、前記測定された使用者の視力に合わせて文字サイズを調節することにより、使用者の利便性を向上させることができるという効果がある。
【発明を実施するための最良の形態】
【００１２】
以下、図面に基づいて、使用者の視力を測定し、前記測定された視力に合わせて文字サイズを調節することにより、使用者の利便性を向上させる本発明に係る移動通信端末機の文字サイズ調節装置及び方法の好ましい実施形態について説明する。
【００１３】
図１は、本発明に係る移動通信端末機の文字サイズ調節装置の構成を示すブロック図である。
【００１４】
図１に示すように、本発明に係る移動通信端末機の文字サイズ調節装置は、使用者の文字サイズ調節要求に応じて表示された映像データに対する使用者の音声データを検出する音声認識部１００と、前記検出された音声データ及び予め設定された参照テーブルに基づいて使用者の視力を判断し、前記判断された視力に合わせて文字サイズを調節する制御信号を出力する制御部１１０と、前記出力された制御信号に基づいて文字サイズが調節された映像データを表示するディスプレイ部１２０と、前記使用者の視力を測定するために予め設定された参照テーブルを保存するメモリ部１３０とを含む。
【００１５】
ここで、前記予め設定された参照テーブルは、視力値、該視力値に対応する文字サイズ値、該文字サイズ値によって予め設定された映像データ、該映像データに対応する音声データを含む。
【００１６】
図２は、本発明に係る移動通信端末機の文字サイズ調節方法を示すフローチャートである。
【００１７】
図２に示すように、本発明に係る移動通信端末機の文字サイズ調節方法は、使用者から文字サイズ調節要求があるか否かを判断する段階（Ｓ２００）と、前記文字サイズ調節要求があった場合、使用者の視力検出結果があるか否かを確認する段階（Ｓ２１０）と、前記使用者の視力検出結果がない場合、使用者の視力を検出する段階（Ｓ２３０）と、前記検出された視力に合わせて自動で文字サイズを調節するか否かを判断する段階（Ｓ２４０）と、自動で文字サイズを調節すると判断された場合、前記文字サイズを調節する段階（Ｓ２６０）を含む。ここで、前記移動通信端末機は、前記使用者の視力検出結果があった場合、使用者の視力を入力する段階（Ｓ２２０）を実行し、自動で文字サイズを調節しない場合、手動で文字サイズを選択する段階（Ｓ２５０）を実行する。
【００１８】
以下、このような本発明に係る移動通信端末機の文字サイズ調節方法を詳細に説明する。
【００１９】
まず、前記移動通信端末機の製造過程で、製造業者により、使用者の視力を測定するために視力別に予め設定された映像データ、該映像データに対応する音声データ及び文字サイズ値などがメモリ部１３０に保存される。ここで、前記予め設定された映像データは、文字、数字及び記号などを示すデータであり、同一の視力に対して少なくとも１つ以上が設定される。
【００２０】
また、一般の視力検査は、視力検査表から２ｍ以上離れた地点で視力を測定するが、本発明に係る視力検査は、前記移動通信端末機のディスプレイ装置の特性を考慮している。すなわち、本発明に係る視力検査は、前記移動通信端末機の製造過程で適正な距離が予め設定され、前記移動通信端末機から予め設定された距離を維持した状態で予め設定された映像データを表示した後、開始音が発生した時点から予め設定された時間以内に前記表示された映像データを読むことにより実行される。従って、前記予め設定された距離及び時間がメモリ部１３０に保存される。ここで、前記予め設定された距離は３０ｃｍ、前記予め設定された時間は３秒が好ましい。
【００２１】
使用者が文字サイズ調節を要求すると、すなわち、前記移動通信端末機の文字サイズを調節するためのメニューを選択すると（Ｓ２００）、制御部１１０は、メモリ部１３０に保存された注意事項を表示するが、前記注意事項は、前記予め設定された距離や前記予め設定された時間などを含む。
【００２２】
その後、制御部１１０は、使用者に視力検査結果があるか否かを確認する（Ｓ２１０）。そして、視力検査結果があると、使用者は前記視力検査結果により制御部１００に入力し（Ｓ２２０）、前記視力検査結果がないと、使用者の視力を検出する（Ｓ２３０）。
【００２３】
以下、使用者の視力検査結果がない場合に使用者の視力を検出する方法について説明する。
【００２４】
図３は、図２の使用者の視力を検出する方法を示すフローチャートである。
【００２５】
図３に示すように、本発明に係る使用者の視力を検出する方法は、視力検査結果がない場合、予め設定された視力値に対応する映像データを表示する段階（Ｓ２３１）と、前記表示された映像データに対する使用者の音声データを検出する段階（Ｓ２３３）と、前記検出された使用者の音声データと予め設定された音声データとを比較する段階（Ｓ２３５）と、前記検出された使用者の音声データと予め設定された音声データが一致すると、一致した回数と予め設定された回数とを比較する段階（Ｓ２３７）と、前記一致した回数と前記予め設定された回数が一致すると、前記検出された音声データに対応する視力値を使用者の視力として決定する段階（Ｓ２３９）とを含む。
【００２６】
以下、このような本発明に係る使用者の視力検出方法を詳細に説明する。
【００２７】
まず、制御部１１０は、前記視力検査結果がない場合、メモリ部１３０に保存された視力検査のための映像データをディスプレイ部１２０に表示する（Ｓ２３１）。ここで、制御部１１０は、メモリ部１３０に保存された映像データを予め設定された視力に対応する映像データから１つずつ高い視力又は低い視力に対応する映像データに順次表示する。
【００２８】
制御部１１０が前記映像データを表示すると、使用者がディスプレイ部１２０に表示された映像データを予め設定された時間内に読むことにより、音声認識部１００は、使用者の音声データを検出する（Ｓ２３３）。すなわち、制御部１１０は、音声認識部１００により前記予め設定された時間内に使用者の音声データが検出されなかった場合、又は前記検出された音声データが前記映像データに対応する予め設定された音声データと一致しなかった場合、使用者が前記映像データを認知していないと判断して前記表示された映像データより低い視力に対応する映像データを表示する。
【００２９】
反面、制御部１１０は、前記検出された音声データと前記映像データに対応する予め設定された音声データとを比較する（Ｓ２３５）。制御部１１０は、前記検出された音声データが前記映像データに対応する予め設定された音声データと一致すると、前記表示された映像データと同一の視力に対応する他の映像データを表示する。すなわち、制御部１１０は、同一の視力に対応する少なくとも１つ以上の映像データに対応する予め設定された音声データと測定された使用者の音声データが一致するか否かを予め設定された回数だけ確認する（Ｓ２３７）。
【００３０】
制御部１１０は、前記検出された使用者の音声データとメモリ部１３０に保存された前記映像データに対応する予め設定された音声データとの比較結果に基づいて、使用者の視力を測定する。すなわち、制御部１１０は、同一の視力に対応する少なくとも１つ以上の映像データの予め設定された音声データと測定された使用者の音声データが一致すると、前記予め設定された音声データに対応する視力値を使用者の視力として決定する（Ｓ２３９）。
【００３１】
ここで、制御部１１０は、前記表示された映像データに対応する予め設定された音声データを制御部１１０の内部バッファ（図示せず）に保存することにより、前記内部バッファに保存された音声データと前記検出された使用者の音声データとを比較する。
【００３２】
その後、制御部１１０は、前記測定された視力に合わせて文字サイズを自動で変更するか否かを使用者に確認し（Ｓ２４０）、前記確認結果により文字サイズを調節する（Ｓ２６０）。すなわち、制御部１１０は、前記文字サイズを自動で変更するとき、前記測定された視力に合わせて予め設定された文字サイズを有する映像データを表示し、前記文字サイズを手動で変更するとき、前記測定された視力に合わせて予め設定された文字サイズを使用者に変更させることにより（Ｓ２５０）、前記変更された文字サイズを有する映像データをディスプレイ部１２０に表示する。
【００３３】
一方、使用者が自身の視力を知っている場合、視力検査を実施せずに文字サイズを自動変更できるように視力を入力する別途のメニューを備えるか、視力検査中に使用者の視力を直接入力し得る過程をさらに含むことにより、視力検査なしで自身の視力に適した文字サイズに手動で変更可能にすることもできる。
【００３４】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００３５】
使用者の視力を測定し、前記測定された視力に合わせて文字サイズを調節することにより、使用者の利便性を向上させる本発明に係る移動通信端末機の文字サイズ調節装置及び方法を提供する。
【００３６】
移動通信端末機の文字サイズ調節装置は、使用者の文字サイズ調節要求に応じて表示された映像データに対する使用者の音声データを検出する音声認識部と、前記検出された使用者の音声データ及び予め設定された参照テーブルに基づいて使用者の視力を判断し、前記判断された視力に合わせて文字サイズを調節する制御部とを含む。
【図面の簡単な説明】
【００３７】
【図１】本発明に係る移動通信端末機の文字サイズ調節装置を示すブロック図である。
【図２】本発明に係る移動通信端末機の文字サイズ調節方法を示すフローチャートである。
【図３】図２の使用者の視力を検査する方法を示すフローチャートである。
【符号の説明】
【００３８】
１００：音声認識部
１１０：制御部
１２０：ディスプレイ部
１３０：メモリ部
【図１】
2006091869.tif 000003
【図２】
2006091869.tif 000004
【図３】
2006091869.tif 000005